(57)【要約】【課題】コンプライアントピンの圧入嵌合による基板実装ができる高信頼性の電子部品及びそれを用いた電子制御装置を提供することを目的とするものである。【解決手段】リード線２２が導出されている電解コンデンサ本体２１と、この電解コンデンサ本体２１を保持し固定するホルダー２８と、このホルダー２８に一部が固定され一方の端部に前記リード線２２との接続部３２を有し他方の先端部分に回路基板のスルーホール３３に圧入嵌合される接続固定部３４を設けたコンプライアントピン３６からなる電子部品とした。【選択図】図１
2008124244.tif 000002
【特許請求の範囲】
【請求項１】
リード線が導出されている電子部品本体と、この電子部品本体を保持し固定するホルダーと、このホルダーに一部が固定され一方の端部に前記リード線との接続部を有し他方の先端部分に回路基板のスルーホールに圧入嵌合される接続固定部を設けたコンプライアントピンからなる電子部品。
【請求項２】
前記ホルダーの形状を電子部品本体の外周面の少なくとも一部を覆う構成とした請求項１に記載の電子部品。
【請求項３】
前記ホルダーの形状が電子部品本体を嵌め込み挟持して固定する構成とした請求項１に記載の電子部品。
【請求項４】
前記ホルダーに前記コンプライアントピンと別の回路基板への固定部を設けた請求項１に記載の電子部品。
【請求項５】
前記ホルダーの回路基板と相対する面の一部に回路基板に実装される他の電子部品等を配置できる隙間を形成するための段差を設けた構成とした請求項１に記載の電子部品。
【請求項６】
前記ホルダーの表面の一部に実装時に機械的に保持するための平面部を設けた請求項１に記載の電子部品。
【請求項７】
前記ホルダーを電子部品本体から導出されたリード線の極性を示す構成とした請求項１に記載の電子部品。
【請求項８】
前記ホルダーを二つ以上の分割体とし、これらの分割体で電子部品本体を保持する構成とすると共に、その内の少なくともいずれか一方の分割体に一方の端部にリード線との接続部を有し他方の先端部分に回路基板のスルーホールに圧入嵌合される接続固定部を設けたコンプライアントピンの一部を固定した構成とした請求項１に記載の電子部品。
【請求項９】
前記ホルダーの二つ以上の分割体の少なくともいずれか一方に前記コンプライアントピンと別の回路基板への固定部を設けた請求項８に記載の電子部品。
【請求項１０】
前記ホルダーの二つ以上の分割体として、電子部品本体の長さ方向に対して分割され前記電子部品本体のリード線を導出している側とその相対する側とにそれぞれ配置された分割体を有し、それらの分割体に前記電子部品本体の長さ方向に位置を調整可能なように組み合わされた部分を設けた構成とした請求項８に記載の電子部品。
【請求項１１】
前記ホルダーの二つ以上の分割体として、電子部品本体の高さ方向に対して分割され前記電子部品本体の上側と下側にそれぞれ配置された分割体を有し、それらの分割体に前記電子部品本体の高さ方向および／または長さ方向に位置を調整可能なように組み合わされた部分を設けた構成とした請求項８に記載の電子部品。
【請求項１２】
前記電子部品本体の長さ方向に対して分割され前記電子部品本体のリード線を導出している側に配置された一方の分割体の一部に突起部または凹部を設け、その相対する側に配置された他方の分割体の一部に前記突起部または凹部に電子部品本体の長さ方向にスライド可能なように嵌まり込む部分を設けた構成とした請求項１０に記載の電子部品。
【請求項１３】
前記電子部品本体の高さ方向に対して分割され前記電子部品本体の下側に配置された一方の分割体の一部に複数の突起部または凹部を設け、上側に配置された他方の分割体の一部に電子部品本体の高さ方向にずらしても前記複数の突起部または凹部に固定されるように嵌まり込み、および／または電子部品本体の長さ方向にスライド可能なように嵌まり込む部分を設けた構成とした請求項１１に記載の電子部品。
【請求項１４】
前記コンプライアントピンの接続部にリード線を嵌めこむ凹部を設けた請求項１に記載の電子部品。
【請求項１５】
前記コンプライアントピンの接続固定部を割りピン状とし、この割りピン状の接続固定部の中央部の隙間をリード線との接続部としてリード線を嵌め込み挟持させる構成とした請求項１に記載の電子部品。
【請求項１６】
前記コンプライアントピンを電子部品本体から導出され前記コンプライアントピンに接続されるリード線の極性を示す構成とした請求項１に記載の電子部品。
【請求項１７】
前記コンプライアントピンの接続部に設けられたリード線を嵌め込む凹部の形状をそれぞれ異なる前記リード線の形状に適合する構成とした請求項１４に記載の電子部品。
【請求項１８】
前記電子部品本体を、一対のリード線を有し駆動用電解液が含浸されたコンデンサ素子と、弾性体からなる封口部材と、円筒形の外装金属ケースとを有し、前記コンデンサ素子から引き出されている前記一対のリード線を封口部材に貫通させるとともに、前記コンデンサ素子を外装金属ケース内に収納し、前記外装金属ケースの開口部を封口部材と一緒に巻締め部で巻締め且つカール部でカールして封止した電解コンデンサとした請求項１に記載の電子部品。
【請求項１９】
回路基板上に実装された電子部品中に請求項１〜請求項１８のいずれか一つに記載の電子部品を含む回路構成とした自動車用の電子制御装置。
【発明の詳細な説明】
【技術分野】
【０００１】
本発明はコンプライアントピンの圧入嵌合によって回路基板への実装ができる電子部品及びそれを用いた電子制御装置に関するものである。
【背景技術】
【０００２】
電子機器の生産性合理化の観点から、電子部品の回路基板への実装方法としてリフロー方式による半田付けが多く採用されているが、近年、環境負荷物質の低減のため鉛フリー半田材料が用いられるようになってきている。
【０００３】
しかし、鉛フリー半田材料は、従来の鉛入り半田材料に比べ融点が高いため、特に体積の大きい電子部品では、電子部品本体がリフロー熱を吸収してしまうことで回路基板と半田で接続されるリード線部の温度が上がりにくくなり半田付けが難しい。これに対し半田付けプロセスを必要とせず、めっきされたスルーホールに圧入嵌合されて電気的接続されるコンプライアントピンを有する電子部品の構成が提案されてきている。
【０００４】
従来、この種の電子部品は、Ｐ−ＰＧＡ（プラスチック  ピングリッドアレイ）と称される電子部品などにおいて、図３８の側面図および図３９の底面図に示されるような構成を有していた。
【０００５】
図３８、図３９において、この電子部品は、プラスチック基板上に各種半導体集積回路（ＩＣ）等が配置接続され且つ全体をプラスチック材料（例えばエポキシ樹脂）で封止された電子部品本体１と、この電子部品本体１の底面より導出され、先端部が回路基板のスルーホールに圧入嵌合されて接続可能なコンプライアントピンとなっているリード線２とで構成されており、この前記電子部品を回路基板に実装する場合、半田を用いなくても前記リード線２のスルーホールへの圧入嵌合によって実装を行うことができるとされている。
【０００６】
なお、この出願の発明に関連する先行技術文献としては、例えば、特許文献１が知られている。
【特許文献１】特許第３４１８０３０号公報
【発明の開示】
【発明が解決しようとする課題】
【０００７】
しかしながら、上述した従来のコンプライアントピンを有した電子部品の構成では、電子部品本体１から導出されたリード線２自身が、回路基板のスルーホールに圧入接続可能な先端形状を有すコンプライアントピンとなっており、前記コンプライアントピンの先端部が回路基板のスルーホールに圧入される際に受ける荷重が、前記電子部品のリード線２に直接加わるようになっている。
【０００８】
一方、従来の一般的な電解コンデンサは、図４０の斜視図および図４１の断面図に示すように、一対のリード線１２を有し駆動用電解液が含浸されたコンデンサ素子１３と、弾性材からなる封口部材１４と、円筒形の外装金属ケース１５とを有し、前記コンデンサ素子１３から引き出されている一対の前記リード線１２を前記封口部材１４に貫通させるとともに、前記コンデンサ素子１３を前記外装金属ケース１５内に収納し、そして、前記外装金属ケース１５の開口部を前記封口部材１４と一緒に巻締め部１６で巻締め、かつカール部１７でカールして封止された電解コンデンサ本体１１と、前記リード線１２が前記封口部材１４を貫通して前記電解コンデンサ本体１１から導出された構成となっており、この電解コンデンサ１１のリード線１２にコンプライアントピンを適用した場合、リード線１２がゴムなどの弾性材からなる封口部材１４によって保持されているため、リード線保持力が回路基板実装時の圧入荷重より弱く、この圧入荷重がリード線１２を通じてコンデンサ素子１３に伝わることで、コンデンサ素子１３内でのショートや封口部材１４での気密性低下などの問題を起こす課題を有している。
【０００９】
また、自動車用の電子制御装置の一例であるエアバッグ及びプリテンショナーシートベルトの電子制御装置の電源バックアップ用などに適用される電解コンデンサは特に大容量のものが必要とされるため、電解コンデンサ本体１１の体積が大きく、重量も重たくなるが、前記一対のリード線１２にコンプライアントピンを適用した場合、このコンプライアントピンを回路基板へ圧入嵌合させて実装しただけでは、自動車の使用環境で加わる振動や衝撃などの機械的なストレスに対して電解コンデンサ本体の振れを抑制することが不十分なため、リード線の破断などの問題を起こす課題を有している。
【００１０】
本発明は前記従来の課題を解決し、回路基板のスルーホールへのコンプライアントピンの圧入嵌合により電子部品本体のリード線にかかる荷重を低減し、且つ振動や衝撃などの機械ストレスへの耐久性を向上した電子部品を提供することを目的とするものである。
【課題を解決するための手段】
【００１１】
上記目的を達成するために本発明は、リード線が導出されている電子部品本体と、この電子部品本体を保持し固定するホルダーと、このホルダーに一部が固定され一方の端部に前記リード線との接続部を有し他方の先端部分に回路基板のスルーホールに圧入嵌合される接続固定部を設けたコンプライアントピンからなる電子部品とした。
【発明の効果】
【００１２】
以上のように本発明によれば、リード線と接続されたコンプライアントピンが回路基板のスルーホールへ圧入嵌合される際の荷重がコンプライアントピンの一部を固定しているホルダーで吸収され、リード線を通じて電子部品本体の内部素子に伝わらず内部素子内でのショートや電子部品本体からリード線が導出している部分の気密性を損なうことがなく、且つ電子部品本体がホルダーで保持されることで振動や衝撃などの機械ストレスによる電子部品本体の振れを低減してリード線の破断などの損傷を防ぎ、電子部品の信頼性が安定して確保できるという効果が得られる。
【発明を実施するための最良の形態】
【００１３】
本発明の電子部品では、リード線が導出されている電子部品本体と、この電子部品本体を保持し固定するホルダーと、このホルダーに一部が固定され一方の端部に前記リード線との接続部を有し他方の先端部分に回路基板のスルーホールに圧入嵌合される接続固定部を設けたコンプライアントピンからなる構成を有する。
【００１４】
これにより、リード線と接続されたコンプライアントピンが回路基板のスルーホールへ圧入嵌合される際の荷重がコンプライアントピンの一部を固定しているホルダーで吸収され、リード線を通じて電子部品本体の内部素子に伝わらず内部素子内でのショートや電子部品本体からリード線が導出している部分の気密性を損なうことがなく、且つ電子部品本体がホルダーで保持されることで振動や衝撃などの機械ストレスによる電子部品本体の振れを低減してリード線の破断などの損傷を防ぎ、電子部品の信頼性が安定して確保できるという効果を奏する。
【００１５】
また、前記ホルダーの形状を電子部品本体の外周面の少なくとも一部を覆う構成とする。
【００１６】
これにより、ホルダーの電子部品本体の保持力をより強固にすることができるという効果を奏する。
【００１７】
また、前記ホルダーの形状が電子部品本体を嵌め込み挟持して固定する構成とする。
【００１８】
これにより、電子部品本体のホルダーへの取り付けが容易になり、作業性を向上させることができるという効果を奏する。
【００１９】
また、前記ホルダーにコンプライアントピンと別の回路基板への固定部を設けた構成とする。
【００２０】
これにより、電子部品を回路基板に固定する箇所が増加し、より強固に固定することができ、耐振性や耐衝撃性が高くなるという効果を奏する。
【００２１】
また、前記ホルダーの回路基板と相対する面の一部に回路基板に実装される他の電子部品を配置できる隙間を形成するための段差を設けた構成とする。
【００２２】
これにより、電子部品が占有する回路基板上の面積が小さくなり、前記ホルダーの直下のスペースに他の電子部品等を配置することができるため、効率的に部品のレイアウトをすることができるという効果を奏する。
【００２３】
また、前記ホルダーの表面の一部に実装時に機械的に保持するための平面部を設けた構成とする。
【００２４】
これにより、コンプライアントピンを回路基板のスルーホールに圧入嵌合する際に、前記ホルダーの表面の一部の平面部があることによって、圧入荷重を加え易くなり、作業性が向上するという効果を奏する。
【００２５】
また、前記ホルダーを電子部品本体から導出されたリード線の極性を示す構成とする。
【００２６】
これにより、電子部品の極性を外観上で判別することが容易になり、電子機器の組み立て作業時の極性間違いを防止することができるという効果を奏する。
【００２７】
前記ホルダーを二つ以上の分割体とし、これらの分割体で電子部品本体を保持する構成とすると共に、その内の少なくともいずれか一方の分割体に一方の端部にリード線との接続部を有し他方の先端部分に回路基板のスルーホールに圧入嵌合される接続固定部を設けたコンプライアントピンの一部を固定した構成とする。
【００２８】
これにより、外形寸法が異なる類似した形状の電子部品本体が数種類ある場合に、ホルダーが分割体となっているため共通使用が可能で融通性が高く、それぞれの電子部品本体の形状に合わせたホルダーを作成しなくてもよいという効果を奏する。
【００２９】
また、前記ホルダーの二つ以上の分割体の少なくともいずれか一方に前記コンプライアントピンと別の回路基板への固定部を設けた構成とすれば、電子部品を回路基板に固定する箇所が増加し、より強固に固定することができ、耐振性や耐衝撃性が高くなるという効果を奏する。
【００３０】
また、前記ホルダーの二つ以上の分割体として、電子部品本体の長さ方向に対して分割され前記電子部品本体のリード線を導出している側とその相対する側とにそれぞれ配置された分割体を有し、それらの分割体に前記電子部品本体の長さ方向に位置を調整可能なように組み合わされた部分を設けた構成としてもよく、この構成の具体的な例としては、前記電子部品本体の長さ方向に対して分割され前記電子部品本体のリード線を導出している側に配置された一方の分割体の一部に突起部または凹部を設け、その相対する側に配置された他方の分割体の一部に前記突起部または凹部に電子部品本体の長さ方向にスライド可能なように嵌まり込む部分を設けた構成とする。
【００３１】
これにより、特に外形寸法が長さ方向に異なる類似した形状の電子部品本体が数種類ある場合に、前記電子部品本体のリード線が導出している側とその相対する側とにそれぞれ分割体が配置され、これらの分割体に電子部品本体の長さ方向に位置を調整可能なように組み合わされた部分を設けてあるため共通使用が可能で融通性が高く、それぞれの電子部品本体の形状に合わせたホルダーを作成しなくてもよいという効果を奏し、さらにこれらの分割体が回路基板へ固定されるコンプライアントピンの接続固定部および／または他の固定部を有している場合に、前記接続固定部および／または固定部の回路基板に対する平行度を容易に合わせることができ、実装作業性が向上するという効果を奏する。
【００３２】
また、前記ホルダーの二つ以上の分割体として、電子部品本体の高さ方向に対して分割され前記電子部品本体の上側と下側にそれぞれ配置された分割体を有し、それらの分割体に前記電子部品本体の高さ方向および／または長さ方向に位置を調整可能なように組み合わされた部分を設けた構成としてもよく、この構成の具体的な例としては、前記電子部品本体の高さ方向に対して分割され前記電子部品本体の下側に配置された一方の分割体の一部に複数の突起部または凹部を設け、上側に配置された他方の分割体の一部に電子部品本体の高さ方向にずらしても前記複数の突起部または凹部に固定されるように嵌まり込み、および／または電子部品本体の長さ方向にスライド可能なように嵌まり込む部分を設けた構成とする。
【００３３】
これにより、特に外形寸法が高さ方向および／または長さ方向に異なる類似した形状の電子部品本体が数種類ある場合に、前記電子部品本体の上側と下側にそれぞれ分割体が配置され、これらの分割体に前記電子部品本体の高さ方向および／または長さ方向に位置を調整可能なように組み合わされた部分を設けてあるため共通使用が可能でより融通性が高く、それぞれの電子部品本体の形状に合わせたホルダーを作成しなくてもよいという効果を奏する。
【００３４】
また、前記コンプライアントピンの接続部にリード線を嵌めこむ凹部を設けた構成とする。
【００３５】
これにより、前記コンプライアントピンと電子部品本体から導出された前記リード線とが接続し易くなり、作業性を向上することができるという効果を奏する。
【００３６】
また、前記コンプライアントピンの接続固定部を割りピン状とし、この割りピン状の接続固定部の中央部の隙間をリード線との接続部としてリード線を嵌め込み挟持させる構成とする。
【００３７】
これにより、リード線と接続されたコンプライアントピンを回路基板のスルーホールに圧入嵌合する際に、前記リード線と前記コンプライアントピンとめっきされたスルーホールの内壁とが、相互に圧接され電気的に確実に接続することができ、コンプライアントピンとリード線の接続を溶接や半田付けなどで行う手間が省け、作業性を向上することができるという効果を奏する。
【００３８】
また、前記コンプライアントピンを電子部品本体から導出され前記コンプライアントピンに接続されるリード線の極性を示す構成とする。
【００３９】
これにより、電子部品の極性を外観上で判別することが容易になり、電子機器の組み立て作業時の極性間違いを防止することができるという効果を奏する。
【００４０】
また、前記コンプライアントピンの接続部に設けられたリード線を嵌め込む凹部の形状をそれぞれ異なる前記リード線の形状に適合する構成とする。
【００４１】
これにより、極性を示す構成を持ったコンプライアントピンを異なった極性のリード線に間違えて嵌め込もうとした場合、正常な接続状態とすることができず、外観上で極性を間違えていることが容易に検出され、電子部品組み立て作業時の極性間違いを防止することができるという効果を奏する。
【００４２】
また、本発明の電子部品の具体的な例として、前記電子部品本体を、一対のリード線を有し駆動用電解液が含浸されたコンデンサ素子と、弾性体からなる封口部材と、円筒形の外装金属ケースとを有し、前記コンデンサ素子から引き出されている前記一対のリード線を封口部材に貫通させるとともに、前記コンデンサ素子を外装金属ケース内に収納し、前記外装金属ケースの開口部を封口部材と一緒に巻締め部で巻締め且つカール部でカールして封止した電解コンデンサとする。
【００４３】
これにより、圧入荷重に対してリード線の保持力が弱いゴム等の弾性体からなる封口部材を用いた電解コンデンサであっても、リード線と接続されたコンプライアントピンが回路基板のスルーホールへ圧入嵌合される際の荷重を前記コンプライアントピンの一部が固定されているホルダーで吸収し、リード線を通じてコンデンサ素子に伝わらないため、コンデンサ素子内でのショートやリード線が引き出されている部分の気密性低下などの問題をほとんど無くすことができ、且つ電子部品本体がホルダーで保持されることで振動や衝撃などの機械ストレスによる振れを低減してリード線の破断などの損傷を防ぎ、電解コンデンサの信頼性が安定して確保できるという効果を奏する。
【００４４】
また、室内で使用されるパーソナルコンピューターなどの一般電子機器と比較して、より過酷な機械ストレスが加わる環境下にある自動車用の電子制御装置において、本発明の電子部品を回路基板上に実装された複数の電子部品中に含む回路構成とすると、電子部品本体がホルダーで保持されることで振動や衝撃などの機械ストレスによる電子部品本体の振れを低減する機能がより効果的となりリード線の破断などの損傷を防ぎ、また回路基板のスルーホールへのコンプライアントピンの機械的な圧入嵌合による実装によって生産管理条件を簡素化でき、電子機器の信頼性を安定化することができるという効果を奏する。
【実施例】
【００４５】
以下、本発明の実施例における電子部品について、図面を参照しながら説明する。
【００４６】
（実施例１）
図１は本発明の実施例１における電子部品の斜視図、図２は同実施例における電子部品の正面図、図３は同実施例における電子部品の背面図、図４は同実施例における電子部品の側面図、図５は同実施例における電子部品の断面図、図６は同実施例における電子部品の上面図、図７は同実施例における電子部品の底面図、図８、図９は同実施例における電子部品の他の例を示す斜視図である。
【００４７】
図１〜図７において、電子部品は、一対のリード線２２を有し、駆動用電解液（図示せず）が含浸されたコンデンサ素子２３と、ゴム等の弾性材からなる封口部材２４と、アルミニウム等の金属材の外装金属ケース２５とを有し、前記コンデンサ素子２３から引き出されている一対のリード線２２を前記封口部材２４に貫通させるとともに、前記コンデンサ素子２３を前記外装金属ケース２５内に収納し、前記外装金属ケース２５の開口部を前記封口部材２４と一緒に巻締め部２６で巻締め、かつカール部２７でカールして封止された電子部品本体としての一般的な電解コンデンサ本体２１と、横置きにしたこの電解コンデンサ本体２１の外周面を覆い保持部２９で接して固定する樹脂材等の絶縁性のホルダー２８と、このホルダー２８に一部がインサート成型等で固定され一方の端部に前記リード線２２との接続部３２を有し他方の先端部分に回路基板のスルーホール３３に圧入嵌合される接続固定部３４を設けたコンプライアントピン３６から構成されている。なお、前記接続固定部３４は複数となっていてもよい。
【００４８】
なお、電子部品本体として本実施例で挙げた電解コンデンサ本体２１は円筒形状で横置きされており、一対のリード線２２が封口部材２４を貫通して回路基板と水平に同一方向に引き出されているが、電子部品本体は直方形や楕円筒形などであってもよく、リード線は回路基板と水平に同一方向または相反方向に引き出されてもよい。
【００４９】
なお、本実施例で電子部品本体の長さ方向とは回路基板と水平で同一もしくは相反方向に引き出されたリード線の引き出し方向であると定義し、電子部品本体の幅方向とは前記長さ方向と直角で回路基板に対して水平方向であると定義し、電子部品本体の高さ方向とは回路基板に対して垂直方向であると定義する。
【００５０】
以上のような構成において、圧入荷重に対してリード線２２の保持力が弱いゴム等の弾性体からなる封口部材２４を用いた電解コンデンサ本体２１であっても、リード線２２と接続されたコンプライアントピン３６が回路基板のスルーホール３３へ圧入嵌合される際の荷重を前記コンプライアントピン３６の一部が固定されているホルダー２８で吸収し、電解コンデンサ本体２１のリード線２２を通じてコンデンサ素子２３に伝わらないため、コンデンサ素子２３内でのショートやリード線が引き出されている部分の気密性低下などの問題をほとんど無くすことができ、且つ電解コンデンサ本体２１の外周面がホルダー２８の保持部２９によって固定されることで振動や衝撃などの機械ストレスによる電解コンデンサ本体２１の振れを低減してリード線２２の破断などの損傷を防ぎ、電解コンデンサの信頼性が安定して確保できるという効果が得られる。
【００５１】
また、前記コンプライアントピン３６には、前記接続部３２として前記リード線２２を嵌めこむ凹部３７を設けてあり、この凹部３７にリード線２２を嵌め込み、溶接、半田付け、圧接等によって接続されている。
【００５２】
以上のような構成において、前記コンプライアントピン３６に設けた凹部３７は、前記電解コンデンサ本体２１から導出されたリード線２２を嵌めこみ、接続が容易になるように機能し、接続の作業性を向上させる効果が得られる。
【００５３】
また、前記ホルダー２８の形状は、側面の一部に平面部３０ａと上面の一部に平面部３０ｂを設けた構成になっている。
【００５４】
以上のような構成において、本電子部品を自動実装機等で回路基板へ実装する際に、前記ホルダー２８が側面の一部に平面部３０ａを有しているため本電子部品を掴みやすく搬送を安定化でき、また上面の一部に平面部３０ｂを有していることからコンプライアントピン３６を回路基板へ圧入嵌合する際の本電子部品への荷重をかけやすくなり作業性を向上することができる。
【００５５】
また、前記ホルダー２８の形状は、図８に示すように電解コンデンサ本体２１の外周面の少なくとも一部を覆い保持部２９で保持する構成とすれば電解コンデンサ本体２１を固定することができ、振動や衝撃などの機械ストレスによる電解コンデンサ本体２１の振れを低減してリード線２２の破断などの損傷を防ぎ、電解コンデンサの信頼性が安定して確保できるという効果が得られる。
【００５６】
また、前記ホルダー２８の形状は、図９に示すように電解コンデンサ本体２１を嵌め込んで挟持する保持部２９を有する構成としてもよく、電解コンデンサ本体２１を上方からホルダー２８へ嵌め込んで固定することができ作業性を向上することができる。
【００５７】
（実施例２）
図１０は本発明の実施例２における電子部品の斜視図、図１１は同実施例における電子部品の正面図、図１２は同実施例における電子部品の背面図、図１３は同実施例における電子部品の側面図、図１４は同実施例における電子部品の上面図、図１５は同実施例における電子部品の底面図である。なお、実施例１の構成と同様の構成を有するものについては、同一符号を付しその説明を省略する。また、電子部品本体の長さ、幅、高さ方向の定義は実施例１と同様とする。
【００５８】
図１０〜図１５において、実施例１と相違する点は、図１０〜図１５に示すようにコンプライアントピン３６の接続固定部３４が割りピン状になっており、この割りピン状の接続固定部３４の中央部の隙間をリード線２２との接続部３２として、ホルダー２８の正面部にピン状の接続固定部３４に沿って設けた溝部３１を通してリード線２２を嵌め込み挟持させる構成になっている点である。
【００５９】
以上のような構成において、リード線２２と接続されたコンプライアントピン３６を回路基板のスルーホール３３に圧入嵌合する際に、リード線２２とコンプライアントピン３６とめっきされたスルーホール３３の内壁とが、相互に圧接され電気的に確実に接続することができるため、コンプライアントピン３６とリード線２２の接続を溶接や半田付けなどで行う手間が省け、作業性を向上させる効果が得られる。
【００６０】
（実施例３）
図１６は本発明の実施例３における電子部品の斜視図、図１７は同実施例における電子部品の側面図、図１８は同実施例における電子部品の底面図、図１９は同実施例における電子部品の他の例を示す底面図、図２０は同実施例における電子部品の他の例を示す斜視図である。なお、実施例１の構成と同様の構成を有するものについては、同一符号を付しその説明を省略する。また、電子部品本体の長さ、幅、高さ方向の定義は実施例１と同様とする。
【００６１】
図１６〜図１８において、実施例１と相違する点は、図１６〜図１８に示すようにホルダー２８の回路基板と相対する面の一部に回路基板に実装される他の電子部品等を配置できる隙間を形成するための段差部３８を有し、この段差部３８の回路基板と接する部分にリード線２２と接続された一対のコンプライアントピン３６の接続固定部３４を設けると共に、一部をホルダー２８にインサート成型等で固定した一対のダミーの補助コンプライアントピン４６の固定部４４をさらに設けた構成になっている点である。
【００６２】
以上のような構成において、本電子部品が占有する回路基板上の面積が小さくて済み、前記ホルダー２８の直下のスペースに他の電子部品等を配置することができるため、効率的に部品のレイアウトをすることができ、また本電子部品を回路基板に固定する箇所が増加し、より強固に固定されることで耐振性や耐衝撃性を高くすることができる。
【００６３】
また、前記コンプライアントピン３６の接続固定部３４と前記補助コンプライアントピン４６の固定部４４の配置において、図１９に示すように非対称の位置に配置する構成としてもよく、誤って違う回路基板のスルーホール３３へ挿入することができなくなるため、極性間違いを防止することができる。
【００６４】
なお、前記コンプライアントピン３６の接続固定部３４の形状において、図２０に示すように実施例２に挙げた割りピン状とし、この割りピン状の接続固定部３４と中央部の隙間をリード線２２との接続部３２とし、ホルダー２８の正面部にピン状の接続固定部３４に沿って設けた溝部３１を通してリード線２２を嵌め込み挟持させる構成としてもよい。
【００６５】
なお、前記補助コンプライアントピン４６の固定部４４は、ホルダー２８に一体成型されたピン状突起など基板へ圧入嵌合して固定できる構成のものであればよい。
【００６６】
（実施例４）
図２１は本発明の実施例４における電子部品の斜視図、図２２は同実施例における電子部品の斜視図（電子部品本体の長さ方向の寸法が相違した場合）、図２３は同実施例における電子部品の他の例を示す斜視図、図２４は同実施例における電子部品の他の例を示す斜視図（電子部品本体の長さ方向の寸法が相違した場合）である。なお、実施例３の構成と同様の構成を有するものについては、同一符号を付しその説明を省略する。また、電子部品本体の長さ、幅、高さ方向の定義は実施例３と同様とする。
【００６７】
図２１において、実施例３と相違する点は、図２１に示すように電解コンデンサ本体２１の長さ方向に対して二分割された分割体の一方のホルダー２８ａと他方のホルダー２８ｂによって電解コンデンサ本体２１を保持している点であり、一方のホルダー２８ａは電解コンデンサ本体２１を保持し且つ一方の端部にリード線２２との接続部３２を有し他方の先端部分に回路基板のスルーホール３３に圧入嵌合される接続固定部３４を設けたコンプライアントピン３６の一部を固定した構成で、他方のホルダー２８ｂは電解コンデンサ本体２１の他の部分を保持し且つ一方の先端部分に回路基板のスルーホール３３に圧入嵌合される固定部４４を設けたダミーの補助コンプライアントピン４６の一部を固定した構成となっている。
【００６８】
また、図２２に示されるように、電解コンデンサ本体２１の長さ方向の寸法が相違した構成となっていても二分割されたホルダー２８ａ、２８ｂの配置間隔を調整して適用することでき、部品を共有化することができる。
【００６９】
また、二分割されたホルダー２８ａとホルダー２８ｂの形状において、図２３に示すように他方のホルダー２８ｂの上面に板状の突起部４０を水平に設け、一方のホルダー２８ａの上面部に前記板状の突起部４０に適合する凹部４１を設け、前記板状の突起部４０をスライド可能なように前記凹部４１に嵌め込んだ構成としてもよく、二分割されたホルダー２８ａとホルダー２８ｂを電解コンデンサ本体２１と組み合わせる際に、一方のホルダー２８ａが有するコンプライアントピン３６の接続固定部３４と他方のホルダー２８ｂが有するダミーの補助コンプライアントピン４６の固定部４４の回路基板面に対する平行度を容易に合わせることができ、実装作業性を向上させることができる。
【００７０】
またさらに図２４に示すように電解コンデンサ本体２１の長さ方向の寸法が異なっていても、前記板状の突起部４０が前記凹部４１に沿って摺動して二分割された前記ホルダー２８ａと前記ホルダー２８ｂの平行度を保ちながら配置間隔を調整することができるため部品を共有化することができる。
【００７１】
なお、前期突起部４０と前記凹部４１は、分割されたホルダー２８ａ、２８ｂの平行度を保つ機能を有する形状、位置であればよい。
【００７２】
（実施例５）
図２５は本発明の実施例５における電子部品の斜視図、図２７は同実施例における電子部品の正面図、図２９は同実施例における電子部品の背面図、図２６は同実施例における電子部品の正面図（電子部品本体の高さ方向の寸法が相違した場合）、図２８は同実施例における電子部品の正面図（電子部品本体の高さ方向の寸法が相違した場合）、図３０は同実施例における電子部品の背面図（電子部品本体の高さ方向の寸法が相違した場合）、図３１は同実施例における電子部品の他の例を示す斜視図、図３２は同実施例における電子部品の他の例を示す斜視図（電子部品本体の高さ及び長さ方向の寸法が相違した場合）である。なお、実施例４の構成と同様の構成を有するものについては、同一符号を付しその説明を省略する。また、電子部品本体の長さ、幅、高さ方向の定義は実施例４と同様とする。
【００７３】
図２５、図２７、図２９において、実施例４と相違する点は、電解コンデンサ本体２１の高さ方向に対して上側と下側に二分割された分割体の一方のホルダー２８ａと他方のホルダー２８ｂによって電解コンデンサ本体２１を保持している点であり、一方のホルダー２８ａは電解コンデンサ本体２１の外周面の下部の一部に凹形状の保持部２９で接し、且つ一方の端部にリード線２２との接続部３２を有し他方の先端部分に回路基板のスルーホール３３に圧入嵌合される接続固定部３４を設けたコンプライアントピン３６の一部を固定し、さらに前記コンプライアントピン３６と別に一方の先端部分に回路基板のスルーホール３３に圧入嵌合される固定部４４を設けたダミーの補助コンプライアントピン４６の一部を固定した構成で、他方のホルダー２８ｂは電解コンデンサ本体２１の外周面の上部と側部の一部を覆いその上部の一部に凹形状の保持部２９で接した構成とし、前記一方のホルダー２８ａの両側面に複数の同形状の凹部４７を水平に設け、前記他方のホルダー２８ｂが前記一方のホルダー２８ａの両側の側面に接する部分に前記複数の凹部４７にそれぞれ適合する複数の同形状の凸部４８を水平に設け、この凸部４８をスライド可能なように前記凹部４７に嵌め込むことによって、ホルダー２８ａとホルダー２８ｂとで電解コンデンサ本体を挟持し固定する構成となっている。
【００７４】
また、図２６、図２８、図３０に示されるように、電解コンデンサ本体２１の高さ方向の寸法が相違した構成となっていても、前記凹部４７と前記凸部４８の嵌め込み位置を上下にずらすことによってホルダー２８ｂの配置を調整して適用することでき、部品を共有化することができる。
【００７５】
また、図３１に示すように、下側の一方のホルダー２８ａを電解コンデンサ本体２１の長さ方向に長くし、上側の他方のホルダー２８ｂが電解コンデンサ本体２１の長さ方向にスライド可能な範囲を広げるように構成してもよく、この場合は図３２に示すように、電解コンデンサ本体２１の高さ方向及び長さ方向の寸法が相違しても、前記他方のホルダー２８ｂの配置を前記一方のホルダー２８ａへ嵌め込む位置を変えて高さ方向に調整し、さらに前記他方のホルダー２８ｂをスライドさせて長さ方向に調整することができ、部品を共有化できる電解コンデンサ本体２１の外形寸法の範囲を広げることができる。
【００７６】
なお、前記二分割された分割体の一方のホルダー２８ａと他方のホルダー２８ｂが電解コンデンサ本体２１の幅方向に対して分割されていてもよく、前記一方のホルダー２８ａと前記他方のホルダー２８ｂの一部にスライド可能なように組み合わせられた部分を設け、この部分を前記電解コンデンサ本体２１の幅方向にずらして接着などの方法で固定すれば、前記電解コンデンサ本体２１の幅方向の寸法が相違する場合に部品を共有化することができる。
【００７７】
（実施例６）
図３３は本発明の実施例６における電子部品の斜視図、図３４は同実施例における電子部品の他の例を示す斜視図である。なお、実施例３の構成と同様の構成を有するものについては、同一符号を付しその説明を省略する。また、電子部品本体の長さ、幅、高さ方向の定義は実施例３と同様とする。
【００７８】
図３３において、実施例３と相違する点は、前記電解コンデンサ本体２１から導出されているリード線２２ａとリード線２２ｂが異なった極性を有する場合に、ホルダー２８に極性を示す面取り部３５を一方の極性側に設けた点である。
【００７９】
この構成により、電解コンデンサ本体２１の極性を外観上で判別することが容易になるように作用し、電子機器の組み立て作業時の極性間違いを防止することができるという効果が得られる。
【００８０】
また、図３４に示すようにリード線２２ａとリード線２２ｂと接続されているコンプライアントピン３６が極性を示す構成となっており、陽極側の接続固定部３４ａと陰極側の接続固定部３４ｂの大きさが異なるように構成しても電解コンデンサ本体２１の極性を外観上で判別することが容易になり、電子機器の組み立て作業時の部品極性間違いを防止することができるという効果が得られる。
【００８１】
なお、前記コンプライアントピン３６が極性を示す構成として、コンプライアントピン３６の接続固定部３４ａと３４ｂの形や色などが異なっていても同様の効果が得られる。
【００８２】
（実施例７）
図３５は本発明の実施例７における電子部品の上面図、図３６は同実施例における電子部品の他の例を示す上面図である。なお、実施例６の構成と同様の構成を有するものについては、同一符号を付しその説明を省略する。また、電子部品本体の長さ、幅、高さ方向の定義は実施例６と同様とする。
【００８３】
図３５において、実施例６と相違する点は、前記電解コンデンサ本体２１から導出されているリード線２２ａとリード線２２ｂが異なった極性を有する場合に、電解コンデンサ本体２１から導出された陽極リード線２２ａと陰極リード線２２ｂの長さが極性によって異なっており、これらの陽極リード線２２ａと陰極リード線２２ｂとそれぞれ適合する陽極側の凹部３７ａと陰極側の凹部３７ｂを備えたコンプライアントピン３６となっている点である。
【００８４】
この構成により、極性を示す構成をもったコンプライアントピン３６を異なった極性のリード線に間違えて嵌め込もうとした場合、正常な接続状態とすることができず、外観上で極性を間違えていることが容易に検出され、電子部品組み立て作業時の極性間違いを防止することができるという効果が得られる。
【００８５】
また、図３６に示すように電解コンデンサ本体２１から導出された陽極リード線２２ａと陰極リード線２２ｂの太さが極性によって異なっており、これらの陽極リード線２２ａと陰極リード線２２ｂとそれぞれ適合する陽極側の凹部３７ａと陰極側の凹部３７ｂを備えたコンプライアントピン３６とした構成にしても同様の効果が得られる。
【００８６】
（実施例８）
図３７は本発明の実施例1〜実施例７における電子部品を含む回路構成とした自動車用の電子制御装置の一例であるエアバッグ及びプリテンショナーシートベルトの電子制御装置の回路構成図を示している。
【００８７】
この回路構成は、図３７に示すように加速度センサー５１が自動車の衝突や横転時の衝撃を検知し、その情報が電子制御装置５９へ伝えられ、この電子制御装置５９によりエアバッグ６０やプリテンショナーシートベルト６１などの動作が制御される。前記電子制御装置５９は、前記加速度センサー５１からの情報を制御用マイコン５４で処理し、前記エアバッグ６０や前記プリテンショナーシートベルト６１などを駆動させる駆動回路５８へ作動指示を出すが、この際に電源監視用フェイルセイフ用ＩＣ５３によって前記駆動回路５８の作動に必要な電源がバッテリー５２からＤＣ／ＤＣコンバーター５５を通して供給可能かどうか確認され、自動車の衝突や横転等によって前記バッテリー５２の配線に異常が生じ電源供給ができない場合、電源バックアップ用コンデンサ５７に蓄えられた電荷がバックアップ用回路５６を通して前記駆動回路５８へ供給される回路構成を有している。この電子制御装置５９に適用される電源バックアップ用コンデンサ５７は、複数のエアバッグ６０やプリテンショナーシートベルト６１などを制御するために大きな静電容量が必要とされ、比較的大きなサイズである直径１６ｍｍ〜２０ｍｍ、全長２５ｍｍ〜６０ｍｍ程度の電解コンデンサが一般的には使用される。この電源バックアップ用コンデンサ５７に本発明の実施例１〜実施例６に挙げた構成の電子部品を適用すると、図１〜図３６で示すように電解コンデンサ本体２１がホルダー２８で保持されることで振動や衝撃などの機械ストレスによる電子部品本体の振れを低減する機能がより効果的となりリード線２１の破断などの損傷を防ぎ、また回路基板のスルーホール３３へのコンプライアントピン３６の機械的な圧入嵌合によって実装できることから従来実装時に適用されてきた半田付け工程での半田槽やリフロー槽の管理を必要とせず、生産管理条件を簡素化でき、電子機器の信頼性を安定化することができる。
【産業上の利用可能性】
【００８８】
本発明の電子部品は、コンプライアントピンの圧入嵌合によって基板実装ができる電子部品及びそれを用いた電子制御装置へ適用することができる。
【図面の簡単な説明】
【００８９】
【図１】本発明の実施例１における電子部品の斜視図
【図２】本発明の実施例１における電子部品の正面図
【図３】本発明の実施例１における電子部品の背面図
【図４】本発明の実施例１における電子部品の側面図
【図５】本発明の実施例１における電子部品の断面図
【図６】本発明の実施例１における電子部品の上面図
【図７】本発明の実施例１における電子部品の底面図
【図８】本発明の実施例１における電子部品の他の例を示す斜視図
【図９】本発明の実施例１における電子部品の他の例を示す斜視図
【図１０】本発明の実施例２における電子部品の斜視図
【図１１】本発明の実施例２における電子部品の正面図
【図１２】本発明の実施例２における電子部品の背面図
【図１３】本発明の実施例２における電子部品の側面図
【図１４】本発明の実施例２における電子部品の上面図
【図１５】本発明の実施例２における電子部品の底面図
【図１６】本発明の実施例３における電子部品の斜視図
【図１７】本発明の実施例３における電子部品の側面図
【図１８】本発明の実施例３における電子部品の底面図
【図１９】本発明の実施例３における電子部品の他の例を示す底面図
【図２０】本発明の実施例３における電子部品の他の例を示す斜視図
【図２１】本発明の実施例４における電子部品の斜視図
【図２２】本発明の実施例４における電子部品の斜視図（電子部品本体の全長寸法が相違した場合）
【図２３】本発明の実施例４における電子部品の他の例を示す斜視図
【図２４】本発明の実施例４における電子部品の他の例を示す斜視図（電子部品本体の全長寸法が相違した場合）
【図２５】本発明の実施例５における電子部品の斜視図
【図２６】本発明の実施例５における電子部品の斜視図（電子部品本体の高さ方向の寸法が相違した場合）
【図２７】本発明の実施例５における電子部品の正面図
【図２８】本発明の実施例５における電子部品の正面図（電子部品本体の高さ方向の寸法が相違した場合）
【図２９】本発明の実施例５における電子部品の背面図
【図３０】本発明の実施例５における電子部品の背面図（電子部品本体の高さ方向の寸法が相違した場合）
【図３１】本発明の実施例５における電子部品の他の例を示す斜視図
【図３２】本発明の実施例５における電子部品の他の例を示す斜視図（電子部品本体の高さ及び長さ方向の寸法が相違した場合）
【図３３】本発明の実施例６における電子部品の斜視図
【図３４】本発明の実施例６における電子部品の他の例を示す斜視図
【図３５】本発明の実施例７における電子部品の上面図
【図３６】本発明の実施例７における電子部品の他の例を示す上面図
【図３７】本発明の実施例１〜実施例７における電子部品を用いた例を示す自動車用の電子制御装置の回路構成図
【図３８】従来のコンプライアントピンを有する電子部品の側面図
【図３９】従来のコンプライアントピンを有する電子部品の底面図
【図４０】従来の一般的な電解コンデンサの斜視図
【図４１】従来の一般的な電解コンデンサの断面図
【符号の説明】
【００９０】
２１    電解コンデンサ本体
２２，２２ａ，２２ｂ    リード線
２３    コンデンサ素子
２４    封口部材
２５    外装金属ケース
２６    巻締め部
２７    カール部
２８，２８ａ，２８ｂ    ホルダー
２９    保持部
３０，３０ａ，３０ｂ    平面部
３１    溝部
３２    接続部
３３    回路基板のスルーホール
３４，３４ａ，３４ｂ    接続固定部
３５    面取り部
３６    コンプライアントピン
３７，３７ａ，３７ｂ    凹部
３８    段差部
４０    突起部
４１    凹部
４４    固定部
４６    補助コンプライアントピン
４７    凹部
４８    凸部
５１    加速度センサー
５２    バッテリー
５３    電源監視用フェイルセイフ用ＩＣ
５４    制御用マイコン
５５    ＤＣ／ＤＣコンバーター
５６    バックアップ用回路
５７    電源バックアップ用コンデンサ
５８    駆動回路
５９    電子制御装置
６０    エアバッグ
６１    プリテンショナーシートベルト
【図１】
2008124244.tif 000003
【図２】
2008124244.tif 000004
【図３】
2008124244.tif 000005
【図４】
2008124244.tif 000006
【図５】
2008124244.tif 000007
【図６】
2008124244.tif 000008
【図７】
2008124244.tif 000009
【図８】
2008124244.tif 000010
【図９】
2008124244.tif 000011
【図１０】
2008124244.tif 000012
【図１１】
2008124244.tif 000013
【図１２】
2008124244.tif 000014
【図１３】
2008124244.tif 000015
【図１４】
2008124244.tif 000016
【図１５】
2008124244.tif 000017
【図１６】
2008124244.tif 000018
【図１７】
2008124244.tif 000019
【図１８】
2008124244.tif 000020
【図１９】
2008124244.tif 000021
【図２０】
2008124244.tif 000022
【図２１】
2008124244.tif 000023
【図２２】
2008124244.tif 000024
【図２３】
2008124244.tif 000025
【図２４】
2008124244.tif 000026
【図２５】
2008124244.tif 000027
【図２６】
2008124244.tif 000028
【図２７】
2008124244.tif 000029
【図２８】
2008124244.tif 000030
【図２９】
2008124244.tif 000031
【図３０】
2008124244.tif 000032
【図３１】
2008124244.tif 000033
【図３２】
2008124244.tif 000034
【図３３】
2008124244.tif 000035
【図３４】
2008124244.tif 000036
【図３５】
2008124244.tif 000037
【図３６】
2008124244.tif 000038
【図３７】
2008124244.tif 000039
【図３８】
2008124244.tif 000040
【図３９】
2008124244.tif 000041
【図４０】
2008124244.tif 000042
【図４１】
2008124244.tif 000043